(57)【要約】【課題】  従来、無線受信機に標準的に用いられていたＶＣＯやＰＬＬ回路や周波数制御用ＣＰＵを用いることなくダブルスーパーヘテロダイン受信回路を構成した安価で低消費電力で軽量な無線受信機を提供する。【解決手段】  独立した基準信号発振器を第二局部発振信号として用い、その基準信号発振器につながる逓倍回路で基準発振周波数を逓倍して第一の局部発振信号作り、第一及び第二のミキサーに入力してダブルスーパーヘテロダイン回路を構成し、独立した基準信号発振器に周波数を僅かに可変するスイッチを備え、その周波数変化で異なる複数の信号周波数を受信する。【選択図】図１
2006148846.tif 000002
【特許請求の範囲】
【請求項１】
第二局部発振信号として周波数を僅かに可変する手段を具備する独立した基準周波数発振器を備え、第一局部発振信号として先記基準信号発振器につながる逓倍回路を備え、第一局部発振信号及び第二局部発振信号をそれぞれ第一ミキサー及び第二ミキサーに入力してダブルスーパーヘテロダイン回路を構成したことを特徴とする無線受信回路。
【発明の詳細な説明】
【技術分野】
【０００１】  本発明は無線機の受信回路の簡素化に関するものである。
【背景技術】
【０００２】  現在、標準的無線機の受信回路として電圧制御発振回路（以降ＶＣＯと称す）及びＰＬＬ回路及び制御用ＣＰＵを備えたダブルスーパーヘテロダイン受信方式の受信回路が多用されている。【０００３】  以下図面を参照しながら、上述した従来の無線受信回路の一例について説明する。図２は従来の無線受信機のブロック図を示すものである。図２において１は受信アンテナで、到来した空間の電波を捕捉する。【０００４】  ２はバンドパスフイルターで、必要な受信バンドの信号のみを通過させ、不要なバンドの信号を除去するバンドパスフイルターである。【０００５】  ３は高周波増幅器で、バンドパスフィルターで取り出された必要なバンドの信号を増幅するためのもので無線受信機としての必要な感度をを得るために付加される。【０００６】  ４は第一ミキサーで、必要なバンドの信号を周波数変換して第一中間周波数を作り出す。【０００７】  ５はＶＣＯで印加する直流電圧を変化することで発振周波数を変化できる発振回路で、６はＰＬＬ回路で、８は基準水晶発振回路で、ＰＬＬ回路６は基準水晶発振回路８で発生された周波数を分周してＰＬＬ回路の比較周波数を作る。【０００８】  ９はＣＰＵで、ＰＬＬ回路６に接続され必要な周波数となる分周比を設定する。ＰＬＬ回路６とＶＣＯ５は閉ループ接続され、ＶＣＯ５で発振された周波数とＰＬＬ回路６で作られてた目的となる周波数を位相比較し、目的となる周波数からずれている場合、その差分を電圧出力してＶＣＯ５を常にＰＬＬ回路６で設定された周波数に追従させる。【０００９】  例えば、受信アンテナ１から入力した信号が周波数ｆ１だとすると、ＶＣＯ５では下側ヘテロダインの場合、ｆ１マイナス第一中間周波数の局部発振周波数を発生し、第一ミキサー４で信号ｆ１と先記局部発振周波数が混合され第一中間周波数信号を作り出す。【００１０】  １０は第一の中間周波数フイルターで、第一ミキサー４で作られた第一中間周波数信号だけを取り出す。１１は第一中間周波数増幅器で必要な信号増幅を行う。【００１１】  １２は第二ミキサーで、第一中間周波数を第二の中間周波数に周波数変換するもので第二ミキサー１２には１３の第二局部発振回路からの局部発振周波数が入力され、第二の中間周波数を作り出す。【００１２】  １４は第二の中間周波数フイルターで、第二ミキサー１２で作られた第二中間周波数信号だけを取り出す。１５は第二中間周波数増幅器で必要な信号増幅を行う。【００１３】  １６は検波回路で、変調された第二中間周波数信号から変調信号だけを取り出しオーディオ信号を出力する。その出力は１７のＡＦアンプに入力されオーディオ信号を増幅して１８のスピーカを駆動する。【００１４】  なお、ＶＣＯ５はＰＬＬ回路６とＣＰＵ９によって任意に周波数を設定できるので、複数の周波数を受信する受信回路を構成できる。【００１５】  上記のように、複数の周波数変換を行う目的は、混信排除能力を高め安定に必要な感度を得るためにで、簡単にするための方法として、複数の周波数変換操作を行わない超再生受信方式が使われる場合があるが、混信排除能力が弱くほとんど現在では特殊用途を除いて用いられる事は無い。【００１６】
【特許文献１】特開平４−１９２７２５
【発明の開示】
【発明が解決しようとする課題】
【００１７】  しかしながら上記のような構成では、回路が複雑になるため受信回路のコストがかかり、各回路に消費する電力が多く必要となり、部品が多くなるため受信機が軽量化するのに困難である欠点があった。【００１８】  本発明は、このような点に鑑みてなされたものであり、その日的は、複数の周波数を受信でき、必要な混信排除能力を維持しながら、回路の簡素化及び消費電力の低減及び軽量化を実現することが出来る。
【課題を解決するための手段】
【００１９】  上記問題点を解決するために本発明の無線通信機は、独立した一つの基準周波数発振回路とその基準周波数を逓倍する逓倍回路と、独立した一つの基準周波数発振回路の周波数を僅かに変化させる手段を備え、先記基準周波数発振回路を第二局部発振器とし、先記基準周波数を逓倍する逓倍回路で逓倍した周波数を第一局部発振周波数とすることを特徴とする。【００２０】  先記独立した一つの基準周波数発振回路には周波数を僅かに可変する範囲としては、第一中間周波数フイルター及び第二中間周波数フィルターの通過帯域幅内に収まるように周波数を可変することにより複数の受信周波数に対しても利用できるようにしたことを特徴とする。
【発明の効果】
【００２１】  本発明の無線受信回路は、上記の構成によって、従来技術で必要であったＶＣＯやＰＬＬ回路や第二局部発振回路及びＣＰＵを用いることなく、受信性能劣化の無い複数の周波数の受信が可能である受信機を構成できる。
【発明を実施するための最良の形態】
【００２２】  以下本発明に係る実施形態について、図面を参照して説明する。なお、従来回路と同様の構成要素については同一の符号を付している。
【実施例】  図１は本発明の実施例の無線受信回路のブロック図であり、図１において図２と同一番号を付した構成要素は、その目的、機能及び動作において図２における従来例と全く同一であるため説明を省略し、従来例と異なる構成要素についてのみ説明する。【００２３】  １９は独立した基準周波数発振回路で、本実施例として２２．２５ＭＨｚの汎用の基準発振周波数であるとする。また、受信アンテナ１で受信される周波数は、現在、特定小電力無線機に割り当てられている周波数の４２２．３ＭＨｚと４２２．２ＭＨｚを受信する場合について説明する。【００２４】  ７は逓倍回路で、実施例として１８倍の逓倍回路であるとするもので、基準周波数発振回路につながれ１８倍した周波数の信号を取り出す。【００２５】  ２０は独立した基準周波数発振回路の周波数を僅かに可変する周波数可変手段で、例えば、水晶発振回路においても水晶振動子に付加部品を追加する事で中心周波数を僅かに変化させることが出来る。また、電圧制御端子付き温度制御水晶発振回路（ＶＣＴＣＸＯ）と呼ばれる周波数を電圧で可変させる発振回路を基準周波数発振回路として利用でき、基準周波数発振回路の周波数制御電圧をスイッチで選択させることにより周波数を変化させることも出来る。【００２６】元々、水晶発振回路は安定な固定された周波数を発生するもので、大きく周波数を可変する事は出来ないが、本発明の僅かな周波数変化は安定した性能を保ったままで周波数を可変することが可能である。【００２７】以下具体的な例をあげ、その動作を説明する。まず初めに、受信アンテナ１からの信号周波数が４２２．３ＭＨＺである場合について説明する。なお、第一中間周波数は２１．８ＭＨｚに第二中間周波数は４５０ＫＨｚに設定され、受信回路で固定的に決められたものでそれぞれフィルターの中心周波数に相当するものとする。基準発振周波数は２２．２５ＭＨｚにあらかじめ設定して、基準発振周波数２２．２５ＭＨｚは逓倍回路で１８倍成分の高調波４００．５ＭＨＺが取り出され、これが第一のミキサー４の局部発振周波数となる。【００２８】第一のミキサー４には信号周波数が４２２．３ＭＨＺと局部発振周波数の４００．５ＭＨＺが入力され、その差成分の２１．８ＭＨＺの第一中間周波数が作られ、第一の中間周波数フイルター１０と第一の中間周波数増幅器１１を通り、第二のミキサー１２に加えられる。【００２９】第二のミキサー１２には基準周波数発振回路の２２．２５ＭＨｚの基準発振周波数がそのまま加えられ、２１．８ＭＨＺと２２．２５ＭＨｚの差の周波数である４５０ＫＨｚが第二ミキサー１２の出力として取り出される。【００３０】  次に、受信アンテナ１からの信号周波数が４２２．２ＭＨＺである場合について説明すると、基準発振周波数発振回路の周波数可変手段２０をＯＦＦする事で２２．２４４７ＭＨｚに変化させる。この場合、逓倍回路７で１８倍成分の高調波４００．４０４６ＭＨＺが取り出され、これが第一のミキサー４の局部発振周波数となる。第一のミキサー４には信号周波数が４２２．２ＭＨＺと局部発振周波数の４００．４０４６ＭＨＺが入力され、第一のミキサー４ではその差成分の２１．７９５４ＭＨＺの第一中間周波数が作られ、第��の中間周波数フイルター１０と第一の中間周波数増幅器１１を通り、第二のミキサー１２に加えられる。【００３１】ここで、第一の中間周波数フイルター１０は２１．８ＭＨｚと固定してあり、２１．７９５４ＭＨｚの間に４．６ＫＨｚのズレを生じるが、通常無線機で使う水晶フイルターの通過帯域幅は選択でき、本実施例の場合は中心値に対して±１０ＫＨｚを選択すれば４．６ＫＨｚのズレは問題なく通過帯域内として利用できる。【００３２】  第二のミキサー１２には基準周波数発振回路の２２．２４４７ＭＨｚの基準発振周波数がそのまま加えられ、２１．７９５ＭＨＺと２２．２４４７ＭＨｚの差の周波数である４４９．３ＫＨｚが第二ミキサー１２の出力として取り出される。ここで、第二の中間周波数フイルター１４は４５０ＫＨｚと固定してあり、４４９．３ＫＨｚの間に０．７ＫＨｚのズレを生じるが、通常無線機で使う水晶フイルターの通過帯域幅は選択でき、本実施例の場合は中心値に対して±１．５ＫＨｚを選択すれば０．７ＫＨｚのズレは問題なく通過帯域内として利用できる。【００３３】  なお、実施例では受信周波数を二つの場合について説明したが、第一中間周波数のフイルターの帯域幅及び第二の中間周波数のフイルターの通過帯域幅を離脱する事が無ければさらに多数の受信周波数に対応できる。【００３４】  なお、本実施例では第一中間周波数は２１．８ＭＨｚ、第二中間周波数は４５０ＫＨｚとしたが、先記の周波数関係を保てばあらゆる中間周波数を選択可能であり、受信周波数もあらゆる周波数に拡張できる。また、逓倍回路７の逓倍数も先記実施例では１８倍としたがこれも、先記周波数関係を保てばあらゆる倍率を選択できる。【００３５】  また、本実施例ではヘテロダイン関係は第一ミキサー４では下側ヘテロダインとし、第二ミキサー１２では上側ヘテロダインとしたが、これらは任意に選択できる。【００３６】  また、本発明線受信回路では高周波増幅回路を省いている。混信排除能力としては高周波増幅回路無い方が有効であり、本発明の消費電力低減のため削除しているが、特に高感度が必要な場合に付加してもよい。
【産業上の利用可能性】
【００３７】  実用的な応用例としては、イベント会場や展示会等の無線案内用の携帯受信機に利用する場合、多数の来場者に受信機を貸し出しするが、紛失等の問題がおきやすく、受信機の安価に作ることが要望されている。また、一般の子供やお歳よりが使う場合が多く、電源切り忘れは日常茶飯事で出来るだけ電池が長持ちする消費電力の少ないものが要望されている。一方イベント会場等では多くの周波数の無線機器が用いられ、また、妨害となる外来信号が多いため受信機の混信排除性能は低下する事は好ましくない。本発明にかかる無線受信回路によれば、受信性能は通常の無線機並みの性能を維持した上で、安価で軽量で消費電力を極力おさえた無線受信機を提供できる。
【図面の簡単な説明】
【００３８】
【図１】本発明の実施形態を示す無線受信回路のブロック図
【図２】従来の無線受信回路のブロック図
【符号の説明】
【００３９】１−−−−−  受信アンテナ
２−−−−−  バンドパスフィルター
４−−−−−  第一ミキサー
７−−−−−  逓倍回路
１０−−−  第一中間周波数フイルター
１１−−−  第一中間周波数増幅器
１２−−−  第二ミキサー
１４−−−  第二中間周波数フイルター
１５−−−  第二中間周波数増幅器
１６−−−  検波回路
１７−−−  ＡＦアンプ
１８−−−  スピーカ
１９−−−  独立した基準周波数発振器
２０−−−  周波数可変手段
【図１】
2006148846.tif 000003
【図２】
2006148846.tif 000004